(57)【要約】  移動通信端末に連結装置を連結するとき、移動通信端末自体で獲得した端末状態に係わる情報を提供し、ユーザが、別途にアプリケーションやコンテンツを求める必要なしに、アプリケーションやコンテンツを推薦する移動通信端末または推薦方法に係り、移動通信端末と連結されている連結装置と、移動通信端末との連結状態を判断する連結状態判断部と、移動通信端末の端末状態に係わる情報を保存する端末状態保存部と、連結状態及び移動通信端末の端末状態に係わる情報に基づいて、おすすめアプリケーションを決定するおすすめ対象実行部と、を含み、移動通信端末の端末状態に係わる情報は、移動通信端末の動き及び移動通信端末が位置した場所の環境に係わる情報のうち少なくとも一つを含み、おすすめ対象実行部は、移動通信端末の端末状態に係わる情報を累積して保存し、累積された情報に基づいて、おすすめアプリケーションを決定して実行する移動通信端末である。
2015506636.tif 000002
【特許請求の範囲】
【請求項１】
移動通信端末において、
前記移動通信端末と連結されている連結装置と前記移動通信端末との連結状態を判断する連結状態判断部と、
前記移動通信端末の端末状態に係わる情報を保存する端末状態保存部と、
前記連結状態、及び前記移動通信端末の端末状態に係わる情報に基づいて、おすすめアプリケーションを決定するおすすめ対象実行部と、を含み、
前記移動通信端末の端末状態に係わる情報は、前記移動通信端末の動き、及び前記移動通信端末が位置した場所の環境に係わる情報のうち少なくとも一つを含み、
前記おすすめ対象実行部は、前記移動通信端末の端末状態に係わる情報を累積して保存し、前記累積された情報に基づいて、前記おすすめアプリケーションを決定して実行する移動通信端末。
【請求項２】
移動通信端末において、
連結装置と前記移動通信端末との連結状態を判断する連結状態判断部と、
前記移動通信端末の端末状態に係わる情報を獲得して保存する端末状態保存部と、
前記連結状態、及び前記移動通信端末の端末状態に係わる情報に対応するおすすめコンテンツを決定し、前記決定されたおすすめコンテンツに対応するアプリケーションを実行し、前記実行されたアプリケーションに基づいて、前記決定されたおすすめコンテンツを実行するおすすめ対象実行部と、を含み、
移動通信端末の端末状態に係わる情報は、前記移動通信端末の動き、及び前記移動通信端末が位置した場所の環境に係わる情報のうち少なくとも一つを含み、
前記端末状態保存部は、前記移動通信端末の端末状態に係わる情報を累積して保存し、
前記おすすめ対象実行部は、前記累積された情報に基づいて、前記おすすめアプリケーションを決定する移動通信端末。
【請求項３】
前記おすすめ対象実行部は、
前記連結装置が前記移動通信端末に連結されることにより、前記判断された連結状態に基づいて、前記おすすめアプリケーションを決定して実行することを特徴とする請求項１または２に記載の移動通信端末。
【請求項４】
前記連結状態は、
前記連結装置と前記移動通信端末との連結いかん、前記連結されている連結装置の種類、及び前記連結装置が連結されている前記移動通信端末の連結方法のうち少なくとも一つを含むことを特徴とする請求項１または２に記載の移動通信端末。
【請求項５】
前記端末状態保存部は、
動作認識センサ、イメージセンサ、音声センサ、タッチセンサ、温度センサ、重力センサ及び位置センサのうち少なくとも一つを利用して、前記移動通信端末の端末状態を確認して保存し、
前記端末状態に係わる情報は、
現在時刻、前記移動通信端末がイメージセンサを介して入力されたイメージ、前記移動通信端末の温度センサを介して測定された温度、前記移動通信端末が入力される音声、前記移動通信端末の位置に係わる情報、前記移動通信端末が位置したところの照度、前記移動通信端末が水平面となす角度、前記移動通信端末で使用中であるアプリケーション、前記移動通信端末を使用している状態、ユーザに係わる情報のうち少なくとも一つをさらに含むことを特徴とする請求項１または２に記載の移動通信端末。
【請求項６】
前記おすすめ対象実行部は、
サーバに前記連結状態と前記端末状態とに係わる情報を提供し、
前記サーバから、おすすめアプリケーション識別情報を受信し、おすすめアプリケーションを決定することを特徴とする請求項１または２に記載の移動通信端末。
【請求項７】
前記おすすめ対象実行部は、
前記サーバに、前記移動通信端末にインストールされたアプリケーションのリストを提供し、
前記サーバから受信されたおすすめアプリケーションは、前記提供されたアプリケーションリストに含まれたアプリケーションのうち少なくとも一つを含むことを特徴とする請求項６に記載の移動通信端末。
【請求項８】
前記おすすめ対象実行部は、
複数のおすすめアプリケーションが、前記連結状態、及び前記移動通信端末の端末状態に係わる情報に対応する場合、前記複数のおすすめアプリケーションのリストを出力し、前記出力されたおすすめアプリケーションリストから、ユーザの入力を受けて、おすすめ対象アプリケーションを決定することを特徴とする請求項１または２に記載の移動通信端末。
【請求項９】
前記連結装置は、
移動通信端末に入力装置として入力可能なペンであり、
前記連結状態は、
前記移動通信端末に入力装置として入力可能なペンが移動通信端末に連結されているか否かということであり、
前記端末状態は、
前記移動通信端末で実行中であるアプリケーションに係わる情報、及び前記移動通信端末の設定に係わる情報のうち少なくとも一つを含むことを特徴とする請求項１または２に記載の移動通信端末。
【請求項１０】
前記おすすめ対象実行部は、
実行中であるアプリケーションに係わる情報が、写真撮影と係わるアプリケーションである場合、前記連結状態である前記移動通信端末に、入力装置として入力可能なペンが、移動通信端末との連結が解除されれば、写真を編集するためのアプリケーションを実行することを特徴とする請求項９に記載の移動通信端末。
【請求項１１】
前記おすすめ対象実行部は、
前記移動通信端末の設定がキーパッド入力モードであるとき、前記連結状態である前記移動通信端末に、入力装置として入力可能なペンが、移動通信端末との連結が解除されれば、前記ペンを利用した筆記入力モードに設定を変更し、筆記情報を入力するためのアプリケーションを実行することを特徴とする請求項９に記載の移動通信端末。
【請求項１２】
前記おすすめ対象実行部は、
前記移動通信端末の設定がスリープモードであるとき、前記連結状態である前記移動通信端末に、入力装置として入力可能なペンが、移動通信端末との連結が解除されれば、スリープモード設定を解除し、おすすめアプリケーションを決定して実行することを特徴とする請求項９に記載の移動通信端末。
【請求項１３】
移動通信端末がアプリケーションを推薦する方法において、
前記移動通信端末の端末状態に係わる情報を獲得する段階と、
前記獲得した移動通信端末の端末状態に係わる情報を累積して保存する段階と、
連結装置と前記移動通信端末との連結状態を判断する段階と、
前記連結状態、及び累積して保存された前記移動通信端末の端末状態に係わる情報に基づいて、おすすめアプリケーションを決定して実行するおすすめ対象実行段階と、
を含み、
移動通信端末の端末状態に係わる情報は、前記移動通信端末の動き、及び前記移動通信端末が位置した場所の環境に係わる情報のうち少なくとも一つを含む移動通信端末でアプリケーションを推薦する方法。
【請求項１４】
移動通信端末がコンテンツを推薦する方法において、
前記移動通信端末の端末状態に係わる情報を獲得する段階と、
前記移動通信端末の端末状態に係わる情報を累積して保存する段階と、
連結装置と前記移動通信端末との連結状態を判断する段階と、
前記連結状態、及び累積して保存された前記移動通信端末の端末状態に係わる情報に基づいて、おすすめコンテンツを決定するおすすめ対象決定段階と、
前記決定されたおすすめコンテンツを使用するためのアプリケーションを実行し、前記実行されたアプリケーションで、おすすめコンテンツを実行する段階と、を含み、
移動通信端末の端末状態に係わる情報は、前記移動通信端末の動き、及び前記移動通信端末が位置した場所の環境に係わる情報のうち少なくとも一つを含む移動通信端末でアプリケーションを推薦する方法。
【請求項１５】
請求項１３または１４に記載のアプリケーション推薦方法を具現するためのプログラムが記録されたコンピュータで読み取り可能な記録媒体。
【発明の詳細な説明】
【技術分野】
【０００１】
本発明は、ユーザにコンテンツまたはアプリケーションを推薦する移動通信端末及びその方法に係り、さらに詳細には、連結装置と移動通信端末との連結状態、及び移動通信端末が収集した端末状態に係わる情報を利用して、コンテンツまたはアプリケーションを選択して推薦する移動通信端末、及びコンテンツまたはアプリケーションの推薦方法に関する。
【背景技術】
【０００２】
ユーザが、従来、移動通信端末と連結装置とを連結して使用するためには、移動通信端末と連結装置とを連結した後、連結された連結装置を利用するためのアプリケーションを実行し、前記実行されたアプリケーションを利用して、連結装置使用のための設定を行った。
【０００３】
また、ユーザは、設定を行った後、連結装置を利用するためのアプリケーションやコンテンツを直接探さなければならなかった。そのため、ユーザが連結装置を利用するためには、連結装置を移動通信端末に連結した後にも、ユーザが別途の操作をさらに行わなければならないという不都合があった。
【０００４】
また、アプリケーションを使用して連結装置を利用する場合、利用された連結装置の使用時、獲得された端末状態に係わる情報を、従来の移動通信端末では、効果的に活用することができないという問題があった。
【０００５】
かような問題点を解決するために、移動通信端末に連結装置を連結するとき、連結装置の連結状態、及び移動通信端末の状態を利用して、アプリケーションやコンテンツを効果的に推薦する移動通信端末または推薦方法が要求されている。
【発明の概要】
【発明が解決しようとする課題】
【０００６】
本発明がなそうとする技術的課題は、任意の連結装置が連結されたとき、連結された連結装置に対して実行するアプリケーションやコンテンツを選択して実行することができるプラットホームを提供するために、アプリケーションやコンテンツを推薦する移動通信端末または推薦方法を具現するところにある。
【課題を解決するための手段】
【０００７】
前述の技術的課題を達成するための技術的手段として、本発明によるアプリケーションを推薦する移動通信端末は、前記移動通信端末と連結された連結装置と前記移動通信端末との連結状態を判断する連結状態判断部と、前記移動通信端末の端末状態に係わる情報を保存する端末状態保存部と、前記連結状態、及び前記移動通信端末の端末状態に係わる情報に基づいて、おすすめアプリケーションを決定して実行するおすすめ対象実行部と、を含み、前記移動通信端末の端末状態に係わる情報は、前記移動通信端末の動き、及び前記移動通信端末が位置した場所の環境に係わる情報のうち少なくとも一つを含み、前記おすすめ対象実行部は、前記連結状態、及び前記移動通信端末の端末状態に係わる情報を累積して保存し、前記累積された情報に基づいて、前記おすすめアプリケーションを決定することができる。
【０００８】
また、本発明の他の実施形態によれば、前記おすすめ対象実行部は、前記連結装置が前記移動通信端末に連結されることにより、前記判断された連結状態に基づいて、前記おすすめアプリケーションを決定して実行することができる。
【０００９】
また、本発明のさらに他の実施形態によれば、前記連結状態は、前記連結装置と前記移動通信端末との連結いかん、前記連結された連結装置の種類、及び前記連結装置が連結された前記移動通信端末の連結方法のうち少なくとも一つを含んでもよい。
【００１０】
また、本発明のさらに他の実施形態によれば、前記端末状態保存部は、動作認識センサ、イメージセンサ、音声センサ、タッチセンサ、温度センサ、重力センサ及び位置センサのうち少なくとも一つを利用して、前記移動通信端末の端末状態を確認して保存し、前記端末状態は、現在時刻、前記移動通信端末がイメージセンサを介して入力されたイメージ、前記移動通信端末の温度センサを介して測定された温度、前記移動通信端末が入力される音声、前記移動通信端末の位置に係わる情報、前記移動通信端末が位置したところの照度、前記移動通信端末が水平面となす角度、前記移動通信端末で使用中であるアプリケーション、前記移動通信端末を使用している状態、ユーザに係わる情報のうち少なくとも一つをさらに含んでもよい。
【００１１】
また、本発明のさらに他の実施形態によれば、前記おすすめ対象実行部は、サーバに前記連結状態と前記端末状態とを提供し、前記サーバからおすすめアプリケーション識別情報を受信し、おすすめアプリケーションを決定する。ここで、前記おすすめ対象実行部は、前記移動通信端末にインストールされたアプリケーションのリストを共に提供し、前記サーバから受信したおすすめアプリケーション識別情報は、前記提供されたアプリケーションリストに含まれたアプリケーションのうち少なくとも一つを含んでもよい。
【００１２】
また、本発明のさらに他の実施形態によれば、前記連結装置と前記移動通信端末は、無線通信を介して互いに連結されたものでもある。
【００１３】
また、本発明の他の側面によれば、前記おすすめ対象実行部は、前記連結状態、及び前記移動通信端末の端末状態に係わる情報に対応するおすすめアプリケーションが複数である場合、前記複数のおすすめアプリケーションのリストを出力し、前記出力されたおすすめアプリケーションリストから、ユーザの入力を受けて、おすすめ対象アプリケーションを決定することができる。
【００１４】
また、本発明による移動通信端末において、アプリケーションを推薦するための方法は、前記移動通算端末の端末状態に係わる情報を獲得して保存する段階と、前記獲得した移動通算端末の端末状態に係わる情報を累積して保存する段階と、連結装置と前記移動通信端末との連結状態を判断する段階と、前記連結状態、及び累積して保存された前記移動通算端末の端末状態に係わる情報に基づいて、おすすめアプリケーションを決定して実行するおすすめ対象実行段階と、を含み、移動通信端末の端末状態に係わる情報は、前記移動通信端末の動き、及び前記移動通信端末が位置した場所の環境に係わる情報のうち少なくとも一つを含んでもよい。
【００１５】
また、本発明によるコンテンツを推薦する移動通信端末は、連結装置と前記移動通信端末との連結状態を判断する連結状態判断部と、前記移動通信端末の端末状態に係わる情報を獲得して保存する端末状態保存部と、前記連結状態、及び前記移動通信端末の端末状態に係わる情報に対応するおすすめコンテンツを決定し、前記決定されたおすすめコンテンツに対応するアプリケーションを実行し、前記実行されたアプリケーションに基づいて、前記決定されたおすすめコンテンツを実行する実行部と、を含み、移動通信端末の端末状態に係わる情報は、前記移動通信端末の動き、及び前記移動通信端末が位置した場所の環境に係わる情報のうち少なくとも一つを含み、前記端末状態保存部は、前記連結状態、及び前記移動通信端末の端末状態に係わる情報を累積して保存し、前記おすすめ対象実行部は、前記累積された情報に基づいて、前記おすすめアプリケーションを決定することができる。
【００１６】
また、本発明による移動通信端末において、コンテンツを推薦するための方法は、前記移動通算端末の端末状態に係わる情報を獲得する段階と、前記移動通算端末の端末状態に係わる情報を累積して保存する段階と、連結装置と前記移動通信端末との連結状態を判断する段階と、前記連結状態、及び累積して保存された前記移動通算端末の端末状態に係わる情報に基づいて、おすすめコンテンツを決定するおすすめ対象決定段階と、前記決定されたおすすめコンテンツを使用するためのアプリケーションを実行し、前記実行されたアプリケーションで、おすすめコンテンツを実行する段階と、を含み、移動通信端末の端末状態に係わる情報は、前記移動通信端末の動き、及び前記移動通信端末が位置した場所の環境に係わる情報のうち少なくとも一つを含んでもよい。
【発明の効果】
【００１７】
本発明によれば、任意の連結装置が連結されたとき、連結された連結装置に対して実行するアプリケーションやコンテンツを選択して実行することができるプラットホームを提供するために、アプリケーションやコンテンツを推薦する移動通信端末または推薦方法を具現することが可能である。
【図面の簡単な説明】
【００１８】
【図１】連結装置の連結時、アプリケーションまたはコンテンツを推薦して実行するための移動通信端末を含んだシステムを図示したブロック図である。
【図２】連結装置の連結時、アプリケーションまたはコンテンツを推薦して実行するためのプロセスを示したフローチャートである。
【図３】本発明の一実施形態による、連結状態及び移動通算端末の端末状態に係わる情報に対応して実行されたアプリケーションまたはコンテンツに係わる情報を累積して保存した内容に係わるダイヤグラムである。
【図４】本発明の一実施形態による、移動通信端末にイヤホンを連結するとき、アプリケーションを推薦するプロセスを示したフローチャートである。
【図５】本発明による、移動通信端末にイヤホンを連結するとき、アプリケーションを推薦する一実施形態を示した図面である。
【図６】本発明による、移動通信端末において、写真撮影後、移動通信端末に内蔵された電子ペンの離脱時、アプリケーションを推薦する他の実施形態を示した図面である。
【図７】本発明による、キーパッド入力モードで、移動通信端末に内蔵された電子ペンの離脱時、移動通信端末の入力モードを変更するさらに他の実施形態を示した図面である。
【図８】本発明による、移動通信端末に内蔵された電子ペンの離脱時、移動通信端末のメモ関連アプリケーションを推薦するさらに他の実施形態を示した図面である。
【図９】本発明による、移動通信端末がホルダに連結されるとき、アプリケーションを推薦するさらに他の実施形態を示した図面である。
【発明を実施するための形態】
【００１９】
以下、添付した図面を参照し、本発明が属する技術分野で当業者が、容易に実施することができるように、本発明の実施形態について詳細に説明する。しかし、本発明は、さまざまに異なる形態で具現され、ここで説明する実施形態に限定されるものではない。そして、図面で本発明について明確に説明するために、説明と関係ない部分は省略し、明細書全体を通じて類似した部分については、類似した図面符号を付した。
【００２０】
明細書全体で、ある部分が他の部分と「連結」されているとするとき、それは、「直接に連結」されている場合だけではなく、その中間に、他の素子を挟んで「電気的に連結」されている場合も含む。また、ある部分がある構成要素を「含む」とするとき、それは、特別に限定する記載がない限り、他の構成要素を除くものではなく、他の構成要素をさらに含んでもよいということを意味する。
【００２１】
以下、添付された図面を参照し、本発明について詳細に説明する。
【００２２】
図１は、本発明の一実施形態において、連結装置の連結時、アプリケーションまたはコンテンツを推薦して実行するための移動通信端末を含むシステムを図示したブロック図である。図１は、連結装置連結状態と、移動通信端末の端末状態との情報により、移動通信端末内のアプリケーションまたはコンテンツのうち、おすすめ対象を決定して実行するための構成を図示している。
【００２３】
端末状態保存部１２０は、移動通信端末１００で実行されるアプリケーションまたはコンテンツに係わる情報を獲得して保存することができる。前記実行されるアプリケーションは、前記移動通信端末１００に内蔵されたメモリに常在して実行されているアプリケーションでもある。
【００２４】
前記端末状態は、移動通信端末１００の状態、あるいは移動通信端末１００の周辺環境に係わる情報でもある。
【００２５】
前記移動通信端末１００の状態、あるいは移動通信端末１００の周辺環境に係わる情報は、使用されたアプリケーションまたはコンテンツのメタデータを含んでもよい。前記メタデータは、アプリケーションまたはコンテンツが使用された時刻、アプリケーションまたはコンテンツに係わるユーザの選好度、アプリケーションまたはコンテンツの使用頻度、及びコンテンツを他のユーザと共有した情報のうちいずれか一つ以上を含んでもよい。
【００２６】
また、前記移動通信端末１００の状態、あるいは移動通信端末１００の周辺環境に係わる情報は、移動通信端末１００が位置したところに係わる位置情報、移動通信端末１００の物理的動きに係わる情報、音声入力情報、温度情報、映像情報、照度情報、移動通信端末１００の水平角及び気圧情報のうちいずれか一つ以上を含んでもよい。
【００２７】
前記位置情報は、cell−ＩＤ情報、Ｗｉ−ｆｉ ＡＰ（access point）情報、ＧＰＳ（global positioning system）座標情報のように、移動通信端末１００の位置を確認することができる情報を含んでもよい。
【００２８】
前記物理的動きに係わる認識情報は、移動通信端末１００に内蔵された重力センサ、加速センサなどを介して認識する移動通信端末１００の揺れ、振動のような移動通信端末１００の動きに係わる情報を含んでもよい。
【００２９】
前記音声入力情報は、マイクなどを介して入力された移動通信端末１００周辺の音響に係わる情報を含んでもよい。
【００３０】
前記温度情報は、移動通信端末１００に内蔵された温度センサを介して、移動通信端末１００で感知することができる温度に係わる情報を含んでもよい。
【００３１】
前記映像情報は、移動通信端末１００に内蔵されたカメラを介して撮影された映像に係わる情報を含んでもよい。
【００３２】
前記照度情報は、移動通信端末１００に内蔵されたカメラまたは照度センサを介して感知される移動通信端末１００の周辺光照度に係わる情報を含んでもよい。
【００３３】
前記移動通信端末１００の水平角は、移動通信端末が水平面となす角度を意味する。
【００３４】
前記気圧情報は、移動通信端末１００で測定される移動通信端末１００周辺の気圧に係わる情報を含んでもよい。
【００３５】
前記情報を獲得するために、端末状態保存部１２０は、加速センサ、イメージセンサ、音声センサ、タッチセンサ、温度センサ、重力センサ、位置センサ及び気圧計のうち少なくとも一つ以上を含んでもよい。
【００３６】
また、前記移動通信端末１００の状態、あるいは前記移動通信端末１００の周辺環境に係わる情報は、現在移動通信端末１００で使用中であるアプリケーションまたはコンテンツに係わる情報を含んでもよい。
【００３７】
また、前記移動通信端末１００の状態、あるいは前記移動通信端末１００の周辺環境に係わる情報は、移動通信端末１００の設定に係わる情報を含んでもよい。例えば、移動通信端末１００内プロセッサの使用を最小化して電力消耗を減らすスリープモード（sleep mode）やキーパッド（key-pad）入力モードのような移動通信端末１００の設定に係わる情報を含んでもよい。
【００３８】
また、前記移動通信端末１００の端末状態、あるいは前記移動通信端末１００の周辺環境に係わる情報は、前記移動通信端末１００ユーザの年齢、性別、職業のような移動通信端末１００のユーザに係わる情報を含んでもよい。
【００３９】
端末状態保存部１２０は、おすすめ対象実行部１４０が、連結装置に対応するアプリケーションやコンテンツを決定するために、端末状態に係わる情報を要請した場合、前記獲得した情報を、おすすめ対象実行部１４０に提供することができる。
【００４０】
本発明の一実施形態で、端末状態保存部１２０は、獲得された情報を累積して保存することができる。端末状態保存部１２０に累積して保存された端末状態に係わる情報は、おすすめ対象実行部１４０が、連結装置に対応するアプリケーションやコンテンツを決定するための情報に利用される。例えば、図書館や学校に移動通信端末１００が位置し、移動通信端末１００にイヤホンが連結され、移動通信端末１００を介して、教育と係わるアプリケーションやコンテンツが反復して実行された場合、前記実行されたアプリケーションやコンテンツに係わる情報が累積して保存される。
【００４１】
前記実行されたアプリケーションやコンテンツに係わる情報は、実行されたアプリケーションやコンテンツの種類、アプリケーションやコンテンツが実行された時刻、アプリケーションやコンテンツが実行された時刻の移動通信端末１００の端末状態に係わる情報を含んでもよい。
【００４２】
例えば、移動通信端末１００は、累積して保存された情報を利用して、追って図書館や学校で、移動通信端末１００にイヤホンが連結されれば、教育関連アプリケーションやコンテンツを移動通信端末１００で実行させる。
【００４３】
連結状態判断部１３０は、移動通信端末１００と連結装置１３５との連結状態を判断する。移動通信端末１００と連結装置１３５との連結状態は、移動通信端末１００と連結装置１３５との連結いかんに係わる情報、連結された連結装置１３５の種類に係わる情報、移動通信端末１００と連結装置１３５との連結方法に係わる情報のうち少なくとも一つを含んでもよい。
【００４４】
移動通信端末１００と連結装置１３５との連結いかんに係わる情報は、移動通信端末１００に連結装置１３５が連結されるか、あるいは途絶されるかに係わる情報であり、連結状態判断部１３０によって感知されて生成される。
【００４５】
移動通信端末１００と連結装置１３５とが連結されているか、あるいは途絶されているかということが感知された場合、連結状態判断部１３０は、連結装置１３５の連結状態を更新し、連結状態に係わる情報を、おすすめ対象実行部１４０に知らせることができる。
【００４６】
連結された連結装置１３５の種類は、必ずしも移動通信端末１００と独立して存在する装置のみを意味するものではない。例えば、連結装置１３５は、移動通信端末１００に、入力装置として利用可能なペン、イヤホン、移動通信端末１００に内蔵されていたり、あるいは外部から連結されていたりするアンテナ、移動通信端末１００のホルダ、腕時計、ＵＳＢ（universal serial bus）のようなケーブルを介して連結された装置を含んでもよい。
【００４７】
前記移動通信端末１００と連結装置１３５との連結方法に係わる情報は、移動通信端末１００と連結装置１３５とが、有線または無線のうちいずれの方法で連結されているかということに係わる情報を含んでもよい。
【００４８】
また、連結装置１３５が移動通信端末１００に有線で連結された場合、連結装置１３５が、移動通信端末１００に有線または無線のうちいずれの方法で連結されているかということについての情報は、移動通信端末１００のどこに連結されているかということについての情報を含んでもよい。例えば、連結装置１３５が移動通信端末１００に有線または無線のうちいずれの方法で連結されているかということについての情報は、連結装置１３５が、イヤホンプラグ端子に連結されているか、ＵＳＢケーブルを介して連結されているかということについての情報を含んでもよい。
【００４９】
また、連結装置１３５が移動通信端末１００に無線で連結されている場合、連結装置１３５が移動通信端末１００に、有線または無線のうちいずれの方法で連結されているかということについての情報は、いかなる無線通信方式を介して連結されているかということについての情報を含んでもよい。例えば、連結装置１３５が移動通信端末１００に、有線または無線のうちいずれの方法で連結されているかということについての情報は、ブルートゥース（Bluetooth（登録商標））、ジグビー（Zigbee（登録商標））、近距離無線通信（near field communication）のような通信方式のうち、いずれの方式で連結装置１３５が移動通信端末１００に連結されているかということについての情報を含んでもよい。
【００５０】
おすすめ対象実行部１４０は、連結状態判断部１３０で、連結装置１３５の連結状態に係わる情報を受信し、当該連結装置１３５に対応するアプリケーションやコンテンツを決定することができる。そのとき、端末状態保存部１２０から受信した端末状態に係わる情報を共に利用して、アプリケーションやコンテンツを決定することができる。例えば、移動通信端末１００が連結装置１３５に該当するイヤホンを連結した場合、別途の端末状態に係わる情報がない場合、実行部１８０をして音楽関連アプリケーションを実行させ、ユーザがジョギングを行う動作が認識される場合、運動関連アプリケーションを実行させる。
【００５１】
前記おすすめ対象実行部１４０は、前記連結装置１３５に対応してアプリケーションを実行するように決定した場合、前記決定されたアプリケーションを実行し、前記連結装置１３５に対応してコンテンツを実行するように決定した場合、前記決定されたコンテンツに対応するアプリケーションを実行し、前記実行されたアプリケーションに基づいて、前記決定されたおすすめコンテンツを実行する。
【００５２】
他の実施形態によれば、写真撮影アプリケーションを使用して、写真撮影後、移動通信端末１００からペンを取り出せば、当該写真を編集するためのアプリケーションを実行することができる。
【００５３】
さらに他の実施形態によれば、キーパッドで、文字入力のうち、移動通信端末１００からペンを取り出せば、ペンで文字を入力する筆記体認識モードに、移動通信端末１００の文字入力モードを転換することができる。
【００５４】
さらに他の実施形態によれば、スリープモードでペンを取り出せば、最も頻繁に使用するメモを行うためのアプリケーションを実行させることができる。
【００５５】
さらに他の実施形態によれば、移動通信端末１００にイヤホンを連結して走り始めれば、移動通信端末１００の動作認識を介して、運動や音楽と係わるアプリケーションを実行させることができる。
【００５６】
さらに他の実施形態によれば、移動通信端末１００に内蔵されたアンテナを引き出せば、ＤＭＢ（digital multimedia broadcasting）関連コンテンツを実行し、新たにアップデートされたコンテンツや、頻繁に利用するコンテンツを推薦することができる。
【００５７】
さらに他の実施形態によれば、移動通信端末１００が、ＵＳＢケーブルを介してコンピュータと連結されている場合、前記コンピュータが自宅にあるコンピュータであるならば、個人サーバ及びクラウドと同期化することができる。前記コンピュータが会社にあるコンピュータであるならば、会社のサーバ及びクラウドと同期化することができる。
【００５８】
さらに他の実施形態によれば、移動通信端末１００をホルダに連結して寝る場合、移動通信端末１００の位置情報、移動通信端末１００の動作認識、現在時刻などを利用して、睡眠状態であるということを判断し、睡眠チェック関連アプリケーションを実行させることができる。移動通信端末１００を車でホルダに連結して運転を行う場合、車運行中であるということを判断し、運転と係わるコンテンツを提供させることができる。
【００５９】
さらに他の実施形態によれば、移動通信端末１００を腕時計と連結する場合、日程管理アプリケーションを実行させることができる。また、移動通信端末１００を腕時計と連結してユーザが走る場合、運動関連アプリケーションが実行されもする。
【００６０】
さらに他の実施形態によれば、移動通信端末１００のユーザが、移動通信端末１００を手にして車に乗る場合、移動通信端末１００が車と、近距離通信（near field communication）を介して車搭乗状態を認識し、運転と係わるコンテンツを提供することができる。
【００６１】
本発明の他の実施形態によれば、おすすめ対象実行部１４０は、端末状態保存部１２０に累積して保存された端末状態を利用して、アプリケーションやコンテンツを決定することができる。すなわち、特定連結装置が連結されている状態、及び特定端末状態に対して反復的に使用されたアプリケーションやコンテンツがある場合、前記連結装置が連結されているとき、前記特定端末状態であるならば、前記反復的に使用されたアプリケーションやコンテンツを実行するように決定することができる。
【００６２】
本発明のさらに他の実施形態によれば、おすすめ対象実行部１４０は、通信網を介して、サーバ１７０に、移動通信端末１００と連結装置１３５との連結状態及び端末状態を伝送し、サーバからおすすめアプリケーションまたはコンテンツに係わる情報を受信し、おすすめアプリケーションやコンテンツを決定することができる。また、前記移動通信端末１００と連結装置１３５との連結状態及び端末状態と共に、移動通信端末１００にインストールされたアプリケーション、及び移動通信端末１００に内蔵されたコンテンツのリストを伝送することができる。
【００６３】
通信部１５０は、移動通信端末１００とサーバ１７０との通信網を介して、情報を送受信することができる。前記通信網は、インターネット、近距離無線通信、移動通信網のように、機器間でデータを送受信することができる通信網になる。
【００６４】
端末状態保存部１２０は、獲得した端末状態と、移動通信端末１００内にインストールされたアプリケーション及び移動通信端末１００に内蔵されたコンテンツに係わるリストと、を保存することができる。
【００６５】
サーバ１７０は、移動通信端末１００の通信部１５０を介して、移動通信端末１００と連結装置１３５との連結状態、及び移動通信端末１００の端末状態を受信することができる。また、サーバ１７０は、受信された移動通信端末１００と連結装置１３５との連結状態、及び移動通信端末１００の端末状態を利用しておすすめアプリケーションまたはコンテンツを決定し、移動通信端末１００に、おすすめアプリケーションまたはコンテンツ情報を伝送することができる。ここで、おすすめアプリケーションまたはコンテンツは移、動通信端末１００にインストールされたアプリケーション、及び移動通信端末１００に内蔵されたコンテンツのリストを受信した場合、受信したリストに含まれたアプリケーションまたはコンテンツのうちおすすめアプリケーションまたはコンテンツを決定することができる。
【００６６】
本発明の他の実施形態によれば、おすすめ対象実行部１４０が決定したおすすめ対象が複数である場合、前記複数のおすすめ対象に係わるリストを出力し、ユーザから前記おすすめ対象リストのうち、実行しようとするアプリケーションあるいはコンテンツに係わる選択を入力され、当該アプリケーションあるいはコンテンツを実行することができる。
【００６７】
制御部１１０は、移動通信端末１００内の各部を制御する役割を遂行する。
【００６８】
図２は、連結装置の連結時、アプリケーションまたはコンテンツを推薦して実行するためのプロセスを示した図面である。本実施形態による連結装置の連結時、アプリケーションまたはコンテンツを推薦して実行するための方法は、図１を介して説明した移動通信端末１００によってそれぞれの段階が遂行される。
【００６９】
まず、移動通信端末１００では、端末状態情報を獲得する（Ｓ２１０）。端末状態は、移動通信端末１００の状態、あるいは移動通信端末１００の周辺環境に係わる情報でもある。
【００７０】
前記移動通信端末１００の状態、あるいは移動通信端末１００の周辺環境に係わる情報は、使用されたアプリケーションまたはコンテンツのメタデータを含んでもよい。前記メタデータには、アプリケーションまたはコンテンツが使用された時刻、アプリケーションまたはコンテンツに係わるユーザの選好度、アプリケーションまたはコンテンツの使用頻度、及びコンテンツを他のユーザと共有した情報のうちいずれか一つ以上を含んでもよい。
【００７１】
また、前記移動通信端末１００の状態、あるいは移動通信端末１００の周辺環境に係わる情報は、移動通信端末１００が位置したところに係わる位置情報、移動通信端末１００の物理的動きに係わる認識情報、音声入力情報、温度情報、映像情報、照度情報、移動通信端末１００の水平角及び気圧情報のうちいずれか一つ以上を含んでもよい。
【００７２】
前記位置情報は、cell−ＩＤ情報、Ｗｉ−ｆｉ ＡＰ情報、ＧＰＳ座標情報のように、移動通信端末１００の位置を確認することができる情報を含んでもよい。
【００７３】
前記物理的動きに係わる認識情報は、移動通信端末１００に内蔵された重力センサ、加速センサなどを介して認識する移動通信端末１００の揺れ、振動のような移動通信端末１００の動きに係わる情報を含んでもよい。
【００７４】
前記音声入力情報は、マイクなどを介して入力された移動通信端末１００周辺の音響に係わる情報を含んでもよい。
【００７５】
前記温度情報は、移動通信端末１００に内蔵された温度センサを介して、移動通信端末１００で感知することができる温度に係わる情報を含んでもよい。前記映像情報は、移動通信端末１００に内蔵されたカメラを介して撮影された映像に係わる情報を含んでもよい。
【００７６】
前記照度情報は、移動通信端末１００に内蔵されたカメラを介して認識することができる移動通信端末１００周辺の光の照度に係わる情報を含んでもよい。前記移動通信端末１００の水平角は、移動通信端末が水平面となす角度を意味する。
【００７７】
前記気圧情報は、移動通信端末１００で測定することができる移動通信端末１００周辺の気圧に係わる情報を含んでもよい。
【００７８】
前記情報を獲得するために、移動通信端末に内蔵された加速センサ、イメージセンサ、音声センサ、タッチセンサ、温度センサ、重力センサ、位置センサ及び気圧計のうち少なくとも一つ以上を利用することができる。
【００７９】
また、前記移動通信端末１００の状態、あるいは前記移動通信端末１００の周辺環境に係わる情報は、移動通信端末１００の設定に係わる情報を含み、例えば、移動通信端末１００内プロセッサの使用を最小化して電力消耗を減らすスリープモードやキーパッド入力モードのような移動通信端末１００の設定に係わる情報を含んでもよい。
【００８０】
また、前記移動通信端末１００の状態、あるいは前記移動通信端末１００の周辺環境に係わる情報は、前記移動通信端末１００のユーザの年齢、性別、職業のような移動通信端末１００のユーザに係わる情報を含んでもよい。前記獲得した端末状態は、端末状態保存部１２０に累積して保存することができる。
【００８１】
その後、移動通信端末１００と連結装置１３５との連結状態を判断する（Ｓ２２０）。移動通信端末１００と連結装置１３５との連結状態は、移動通信端末１００と連結装置１３５との連結いかん、連結されている連結装置１３５の種類、移動通信端末１００と連結装置１３５との連結方法のうち少なくとも一つを含む。
【００８２】
連結装置１３５が移動通信端末と連結されるか、あるいは連結が解除されて連結状態の変更がある場合、移動通信端末の連結状態及び端末状態情報に対応するアプリケーションやコンテンツを選択する（Ｓ２３０）。アプリケーションを選択した場合、おすすめ対象実行部１４０は、当該アプリケーションを実行し、コンテンツを選択した場合、おすすめ対象実行部１４０は、当該コンテンツを利用するためのアプリケーションを実行し、前記実行されたアプリケーションに基づいて、コンテンツが実行されるようにする（Ｓ２４０）。
【００８３】
図３は、本発明の一実施形態による、連結状態及び移動通信端末の端末状態に係わる情報に対応して実行されたアプリケーションまたはコンテンツに係わる情報を累積して保存された内容に係わるダイヤグラムである。
【００８４】
図３に図示されているように、端末状態保存部１２０で獲得した端末状態と、実行されたアプリケーションまたはコンテンツと、に係わる情報を端末状態保存部１２０に保存することができる。また、保存された情報から、特定移動通信端末１００の端末状態で、反復して使用されたアプリケーションまたはコンテンツがある場合、当該端末状態で、連結装置１３５が連結されれば、前記反復して使用されたアプリケーションまたはコンテンツを実行させることができる。また、図３に直接図示されていないが、端末状態保存部１２０に保存される情報には、連結装置１３５の連結状態に係わる情報を含んでもよい。例えば、図３でのように、時間１，３及び５でのように、位置に係わる情報が（ｘｘ，ｘｘ）であり、モーション認識情報がＸＹＺであり、温度が２５℃であるとき、反復して特定連結装置１３５を連結し、アプリケーションＡが実行された情報が累積して保存されている場合、位置に係わる情報が（ｘｘ，ｘｘ）であり、モーション認識情報がＸＹＺであり、温度が２５℃であるとき、前記特定連結装置が連結されれば、アプリケーションＡを実行させることができる。
【００８５】
図４は、本発明の一実施形態によるプロセスを示した図面である。図５は、移動通信端末１００に、連結装置１３５であるイヤホンが連結されている場合、おすすめアプリケーションを実行させるためのプロセスを図示している。
【００８６】
まず、端末状態に係わる情報を獲得する（Ｓ４１０）。ここで、端末状態は、位置情報を含んでもよい。
【００８７】
その後、移動通信端末にイヤホンが連結されれば（Ｓ４２０）、端末状態保存部１２０に保存された移動通信端末１００の位置情報を利用して、位置情報が移動中であるか否かということを判断する（Ｓ４３０）。前記判断結果によって、イヤホン連結に対応するアプリケーションのうち実行するおすすめアプリケーションを選択することができる。
【００８８】
例えば、イヤホン連結に対応するアプリケーションは、音楽再生アプリケーション、動画再生アプリケーション、運動関連アプリケーション、教育関連アプリケーションなどにもなる。
【００８９】
次に、位置情報が移動する場合（Ｓ４４０）、移動速度により、運動中であると判断して音楽再生アプリケーションを実行し、音楽ファイルを再生させることができる（Ｓ４４５）。例えば、位置情報が、時速２ｋｍないし時速１０ｋｍの速度で移動する場合、音楽再生アプリケーションを実行し、拍子が遅い音楽ファイルを再生し、時速１０ｋｍないし時速２０ｋ０ｍの速度で移動する場合、音楽再生アプリケーションを実行し、運動するユーザに適する拍子が速い音楽ファイルを再生させることができる。
【００９０】
また、位置情報が停止している場合、地図関連アプリケーションを実行するか、あるいは別途のデータベースから端末機１００が停止している位置がどこであるかということに係わる情報を収集することができる（Ｓ４５０）。位置情報が学校、図書館であると判断されるところに停止している場合（Ｓ４５５）、教育関連アプリケーションを実行させることができる（Ｓ４６０）。ここで、特定移動速度、または停止しているところの位置で実行されたアプリケーションまたはコンテンツについて、端末状態保存部１２０が累積して保存された情報を有している場合、当該情報から実行するアプリケーションを選択することができる。例えば、移動通信端末１００の位置情報が停止しているところの位置が学校であるか否かということを判断することができない場合であるとしても、当該位置で、イヤホンを連結して教育関連アプリケーションを反復的に実行した履歴が保存されている場合、前記位置でイヤホンを連結すれば、教育関連アプリケーションを実行させることができる。
【００９１】
図５は、図４で図示されたプロセスにより、アプリケーションまたはコンテンツを実行する一実施形態を図示している。
【００９２】
図６ないし図８は、本発明の他の実施形態を示した図面である。図６ないし図８は、移動通信端末１００に内蔵された電子ペンを、移動通信端末１００から取り出す場合、移動通信端末１００が、前記電子ペンの移動通信端末１００からの離脱を感知し、アプリケーションまたはコンテンツを実行する一実施形態を図示している。
【００９３】
図６で図示されているように、移動通信端末１００を利用して写真撮影を行い（６００）、移動通信端末１００に内蔵された電子ペンの移動通信端末１００からの離脱が感知された場合（６１０）、移動通信端末１００は、撮影された写真を編集するアプリケーションを実行することができる（６２０）。
【００９４】
図７で図示されているように、移動通信端末１００がキーパッド入力状態に設定されており（７００）、移動通信端末１００に内蔵された電子ペンの移動通信端末１００からの離脱が感知された場合（７１０）、移動通信端末１００は、筆記入力モードに設定を変更することができる（７２０）。
【００９５】
図８で図示されているように、移動通信端末１００が節電モードであるスリープモードに設定されており（８００）、移動通信端末１００に内蔵された電子ペンの移動通信端末１００からの離脱が感知された場合（８１０）、移動通信端末１００は、スリープモードを解除し、移動通信端末１００に内蔵された電子ペンが移動通信端末１００から離脱されたとき、最も多用されたアプリケーションを実行することができる（８２０）。
【００９６】
図９は、本発明のさらに他の実施形態を示した図面である。図９は、移動通信端末１００に、連結装置１３５であるホルダが連結されている場合、おすすめアプリケーションを実行する一実施形態を図示している。
【００９７】
移動通信端末１００をホルダに連結した場合、時間、位置、及びモーション情報を介して、おすすめ対象を決定することができる。図９で図示されているように、深夜時、移動通信端末１００が、移動通信端末１００のユーザの自宅に位置し、動きなしにホルダに連結されている場合、睡眠チェック関連アプリケーションが実行され、昼間、端末機１００が道路上に移動し、移動通信端末１００に振動が感知される場合、運転関連アプリケーションが実行される。
【００９８】
前述の本発明の説明は、例示のためのものであり、本発明が属する技術分野の当業者であるならば、本発明の技術的思想や必須な特徴を変更せずとも、他の具体的な形態に容易に変形が可能であるということを理解することができるであろう。従って、以上で記述した実施形態は、全ての面で例示的なものであり、限定的ではないと理解しなければならない。例えば、単一形で説明されている各構成要素は、分散して実施されることも可能であり、同様に分散されているように説明されている構成要素も、結合された形態で実施されもする。また、前述の本発明の実施方法は、本発明を限定するためではなく、本発明の技術的思想に基づいて変形された実施方法を介して実施することが可能である。
【００９９】
本発明の範囲は、前記詳細な説明よりは、特許請求の範囲によって示されており、特許請求の範囲の意味及び範囲そしてその均等概念から導き出される全ての変更または変形された形態は、本発明の範囲に含まれるものであると解釈されなければならない。
【符号の説明】
【０１００】
１００  移動通信端末
１１０  制御部
１２０  端末状態保存部
１３０  連結状態判断部
１３５  連結装置
１４０  おすすめ対象実行部
１５０  通信部
１７０  サーバ
【図１】
2015506636.tif 000003
【図２】
2015506636.tif 000004
【図３】
2015506636.tif 000005
【図４】
2015506636.tif 000006
【図５】
2015506636.tif 000007
【図６】
2015506636.tif 000008
【図７】
2015506636.tif 000009
【図８】
2015506636.tif 000010
【図９】
2015506636.tif 000011
【国際調査報告】
2015506636.tif 000012
2015506636.tif 000013